(57)【要約】【課題】装置本体の前部、後部の内部をそれぞれ前側、後側に開放できるようにして、内部の組み付けやメンテナンスの作業を容易にする。【解決手段】装置本体３０の側板３１の内側面３１ａには、前側回動軸３３、後側回動軸３８が、左右方向に沿って設けられる。パネル１０、２０の係合受け部１２、２２が、回動軸３３、３８と係合して、パネル１０、２０が回動軸３３、３８を中心として回動することで装置本体３０に対して開閉可能とされる。パネル１０、２０は閉状態で装置本体３０を覆うと共に、開状態では内部を開放する。前側のパネル１０は、前端部１０ａが後方に回動して開状態となる一方、後側のパネル２０は、その後端部２０ｂが前方に回動して、開状態となる。【選択図】図２
2010103679.tif 000002
【特許請求の範囲】
【請求項１】
装置本体と、それぞれ操作子が配設され、前記装置本体を上方から覆う複数のコントロールパネルとを有する電気操作装置のパネル開閉構造であって、
前記装置本体に、前記複数のコントロールパネルに対応して設けられ、互いに前後方向における異なる位置において左右方向に沿って設けられた複数の回動軸部と、
前記複数のコントロールパネルの各々に設けられ、対応する回動軸部と係合する係合部とを有し、
前記各コントロールパネルは、その前記係合部が対応する回動軸部と係合して、該回動軸部を中心として回動することで開閉可能に構成され、
前記複数のコントロールパネルは、閉状態においては、前記装置本体の前後方向における互いに異なる部分を覆うと共に、開状態においては、前記装置本体の内部を開放するように配設され、
前記複数のコントロールパネルのうち、最も前に配設される最前コントロールパネルは、その前記係合部が当該最前コントロールパネルの閉状態における後端部に設けられると共に、その前端部が、対応する回動軸部を中心に後方に回動して、開状態となるように配設され、
前記複数のコントロールパネルのうち、最も後ろに配設される最後コントロールパネルは、その前記係合部が当該最後コントロールパネルの閉状態における前端部に設けられると共に、その後端部が、対応する回動軸部を中心に前方に回動して、開状態となるように配設されたことを特徴とする電気操作装置のパネル開閉構造。
【請求項２】
前記装置本体には、開状態となっている前記各コントロールパネルに係合して該各コントロールパネルの開状態を維持するための開状態維持手段が設けられることを特徴とする請求項１記載の電気操作装置のパネル開閉構造。
【請求項３】
前記複数のコントロールパネルは、前記最前コントロールパネルと前記最後コントロールパネルの２つのみであり、前記装置本体には、前記最前コントロールパネルと係合して該最前コントロールパネルの後方への回動限界位置を規制するための後方規制手段と、前記最後コントロールパネルと係合して該最後コントロールパネルの前方への回動限界位置を規制するための前方規制手段とが設けられ、前記後方への回動限界位置に規制された前記最前コントロールパネルと前記前方への回動限界位置に規制された前記最後コントロールパネルとが干渉しないように構成されたことを特徴とする請求項１または２記載の電気操作装置のパネル開閉構造。
【請求項４】
前記複数のコントロールパネルは、前記最前コントロールパネルと前記最後コントロールパネルの２つのみであり、前記最前コントロールパネルに対応する回動軸部と前記最後コントロールパネルに対応する回動軸部とは、共に、前記装置本体の前後方向における中間位置に配置されていることを特徴とする請求項１〜３のいずれか１項に記載の電気操作装置のパネル開閉構造。
【発明の詳細な説明】
【技術分野】
【０００１】
本発明は、操作子が配設されたコントロールパネルが装置本体を上方から覆う構成を有する電気操作装置のパネル開閉構造に関する。
【背景技術】
【０００２】
従来、操作子が多数配設されたコントロールパネルが、装置本体を上方から覆う構成のミキサ装置等の電気操作装置が知られている。この種の電気操作装置では通常、コントロールパネルが装置本体の全体を覆う１枚の形態として構成され、装置本体の前端部を回動支点としてコントロールパネルの後端部が上方乃至後方に開閉される構成となっている。そして、装置の製造時やメンテナンス時には、コントロールパネルを支柱等で開状態に維持し、装置本体の内部に対する作業を行えるようにしている。
【０００３】
このような作業性を考慮した設計は、下記特許文献１に示されるような電子鍵盤楽器においても応用されている。すなわち、鍵盤部を楽器本体の後端部を支点として開閉可能に構成し、鍵盤部の前端部を上方に開けて、楽器内部のメイン回路のメンテナンス作業等を行いやすくしている。
【特許文献１】特開２００５−９９４４４号公報
【発明の開示】
【発明が解決しようとする課題】
【０００４】
しかしながら、電気操作装置において、開閉されるコントロールパネルが１枚構成であると、コントロールパネルは、装置内部を前方または後方のいずれかにしか開放できないので、前側または後側のいずれかの側からは、装置内部に対する組み付けやメンテナンスの作業を行いにくい。
【０００５】
また、特に、大型の電気操作装置においては、開閉されるコントロールパネルが１枚構成であると、コントロールパネル自体が大きく、重くなる。そのため、開閉作業自体が大変である。
【０００６】
それだけでなく、装置本体の前端部または後端部の回動軸部を支点として開状態とされたコントロールパネルの重心が、装置本体の前端部または後端部に近いかそれを前後に超えると、開状態での装置が不安定となる。それを避けるためには、開状態における回動角度をあまり大きくすることができず、内部の開口面積が小さくなることから、作業性が悪化する。また、大きな荷重が、装置本体の一部に集中してかかることから、装置本体の剛性を高める必要もあり、装置の重量が増すことで、作業性が悪化する。
【０００７】
本発明は上記従来技術の問題を解決するためになされたものであり、その目的は、装置本体の前部、後部の内部をそれぞれ前側、後側に開放できるようにして、内部の組み付けやメンテナンスの作業を容易にすることができる電気操作装置のパネル開閉構造を提供することにある。
【課題を解決するための手段】
【０００８】
上記目的を達成するために本発明の請求項１の電気操作装置のパネル開閉構造は、装置本体（３０）と、それぞれ操作子（１３、２３）が配設され、前記装置本体を上方から覆う複数のコントロールパネル（１０、２０）とを有する電気操作装置（１００）のパネル開閉構造であって、前記装置本体に、前記複数のコントロールパネルに対応して設けられ、互いに前後方向における異なる位置において左右方向に沿って設けられた複数の回動軸部（３３、３８）と、前記複数のコントロールパネルの各々に設けられ、対応する回動軸部と係合する係合部（１２、２２）とを有し、前記各コントロールパネルは、その前記係合部が対応する回動軸部と係合して、該回動軸部を中心として回動することで開閉可能に構成され、前記複数のコントロールパネルは、閉状態においては、前記装置本体の前後方向における互いに異なる部分を覆うと共に、開状態においては、前記装置本体の内部を開放するように配設され、前記複数のコントロールパネルのうち、最も前に配設される最前コントロールパネル（１０）は、その前記係合部（１２）が当該最前コントロールパネルの閉状態における後端部（１０ｂ）に設けられると共に、その前端部（１０ａ）が、対応する回動軸部（３３）を中心に後方に回動して、開状態となるように配設され、前記複数のコントロールパネルのうち、最も後ろに配設される最後コントロールパネル（２０）は、その前記係合部（２２）が当該最後コントロールパネルの閉状態における前端部（２０ａ）に設けられると共に、その後端部（２０ｂ）が、対応する回動軸部（３８）を中心に前方に回動して、開状態となるように配設されたことを特徴とする。
【０００９】
好ましくは、前記装置本体には、開状態となっている前記各コントロールパネルに係合して該各コントロールパネルの開状態を維持するための開状態維持手段（３４、３９、４１、４５）が設けられる（請求項２）。
【００１０】
好ましくは、前記複数のコントロールパネルは、前記最前コントロールパネルと前記最後コントロールパネルの２つのみであり、前記装置本体には、前記最前コントロールパネルと係合して該最前コントロールパネルの後方への回動限界位置を規制するための後方規制手段（３５、４１）と、前記最後コントロールパネルと係合して該最後コントロールパネルの前方への回動限界位置を規制するための前方規制手段（３９、４４）とが設けられ、前記後方への回動限界位置に規制された前記最前コントロールパネルと前記前方への回動限界位置に規制された前記最後コントロールパネルとが干渉しないように構成される（請求項３）。
【００１１】
好ましくは、前記複数のコントロールパネルは、前記最前コントロールパネルと前記最後コントロールパネルの２つのみであり、前記最前コントロールパネルに対応する回動軸部（３３）と前記最後コントロールパネルに対応する回動軸部（３８）とは、共に、前記装置本体の前後方向における中間位置に配置されている（請求項４）。
【００１２】
なお、上記括弧内の符号は例示である。
【発明の効果】
【００１３】
本発明の請求項１によれば、装置本体の前部、後部の内部をそれぞれ前側、後側に開放できるようにして、内部の組み付けやメンテナンスの作業を容易にすることができる。
【００１４】
請求項２によれば、コントロールパネルを取り外したり手で保持したりすることなく装置本体内部に対する作業を行うことができる。
【００１５】
請求項３によれば、前後２つのコントロールパネルを、互いに干渉しないように同時に開状態にすることができ、作業性が向上する。
【００１６】
請求項４によれば、前後の２つのコントロールパネルの開状態における重心が装置本体の前後方向における中間位置に近くなるので、開状態の回動角度を大きく設定しても装置が安定し、装置内部のほぼ全体を大きく開放でき、作業性が向上する。
【発明を実施するための最良の形態】
【００１７】
以下、本発明の実施の形態を図面を参照して説明する。
【００１８】
図１（ａ）は、本発明の一実施の形態に係るパネル開閉構造が適用される電気操作装置の斜視図である。この電気操作装置は、ミキサ装置１００として構成され、装置本体３０の前半部、後半部の各上方が、前後２つのコントロールパネル１０、２０にそれぞれ覆われてなる。コントロールパネル（以下、単に「パネル」という）１０、２０は、前後に配設され、パネル１０が配設される側を前側とする。操作者はミキサ装置１００の前側に位置するとし、左右方向については操作者からみた方向を基準とする。
【００１９】
図１（ｂ）は、パネル１０を取り外した状態におけるミキサ装置１００の前半部右端部の部分平面図であり、図２（ｂ）のＦ１矢視図にも相当する。後述するように、パネル１０、２０は、装置本体３０に組み付けられた後においても、装置本体３０の内部のメンテナンス等のために開閉可能になっている。
【００２０】
図２（ａ）は、パネル１０、２０を共に閉状態としたミキサ装置１００の右側面図である。図２（ｂ）は、パネル１０、２０を共に開状態としたミキサ装置１００の右側面図である。
【００２１】
図１（ａ）、図２（ａ）、（ｂ）に示すように、パネル１０には、多数の操作子１３が配設される。パネル２０には、多数の操作子２３のほか、ＬＣＤでなる表示部２４が配設される。操作子１３、２３には、スライド式のフェーダ操作子のほか、回転式、押下式等の各種操作子が含まれる。また、パネル１０、２０に配設されるものには、操作子や表示部だけでなく、ＬＥＤも含まれる。パネル１０にも表示部２４に相当するものが設けられていてもよい。パネル１０、２０には、それぞれ、少なくとも複数の操作子が配設されていればよい。
【００２２】
装置本体３０の前半部及び後半部の各左右両側部には、パネル１０、２０を回動自在に支持すると共に、開状態を維持するための開閉構造が設けられる。この開閉構造を、主に装置本体３０の右側部のものを代表として説明する。
【００２３】
図１（ｂ）、図２（ｂ）に示すように、装置本体３０の右側の側板３１の前半部の内側には、ガイド板３２が側板３１と平行に配設されている。側板３１の内側面３１ａに溶接等で固定的に設けられた２つのボス３６（図１（ｂ）参照）に、左方からネジ止めされることで、ガイド板３２が側板３１に固定されている。側板３１の内側面３１ａにはまた、前側回動軸３３、ストッパピン３４、３５が溶接等で突設されている。これら、パネル１０に対応する前側回動軸３３及びストッパピン３４、３５は、それぞれ、側板３１に対して強固に固定されていればよく、それらの先端はガイド板３２に対して固定状態となっていてもよい。
【００２４】
また、図２（ｂ）において詳細は図示しないが、パネル２０に対応して、装置本体３０の右側の側板３１の後半部の内側においても、ガイド板３２と同様のガイド板３７が設けられ、側板３１の内側面３１ａには、前側回動軸３３、ストッパピン３４と同様の後側回動軸３８、ストッパピン３９が同様の態様で設けられる。
【００２５】
また、図示はしないが、装置本体３０の左側部においても、これらガイド板３２、３７、前側回動軸３３、後側回動軸３８、ストッパピン３４、３５、３９と同様の構成要素がこれらとは左右対称に設けられる。なお、左右いずれか一側のみに設けてもよい。前側回動軸３３、後側回動軸３８は、左右方向に沿っていて、また、装置本体３０の全体からみれば、前後方向における中間位置に配置され、互いに近接している。
【００２６】
ところで、パネル１０、２０の前端部、後端部についての呼称は、パネル１０、２０が装置本体３０を覆っている閉状態を基準とする。図２（ｂ）に示す開状態では、パネル１０については、その前端部１０ａが上側、後端部１０ｂが下側となる。パネル２０については、逆に、その前端部２０ａが下側、後端部２０ｂが上側となる。
【００２７】
パネル１０の後端部１０ｂは、その左右両側部に、装置本体３０の側板３１やガイド板３２に平行な係合片１５を有する（図１（ｂ）、図２（ｂ）参照）。係合片１５の厚みは、側板３１とガイド板３２との間隙よりも少し薄いが、パネル１０の開閉時に該間隙を係合片１５が摺動自在な範囲でより厚く設計してもよい。
【００２８】
図２（ｂ）に示すように、係合片１５は、先端が二股形状をしていて、Ｕ字の内側部である側面視凹状の係合受け部１２が形成される。二股の延設部のうち、開状態時に後側となっている延設部１１が、閉状態時には上側となる。
【００２９】
パネル２０については、前端部２０ａの左右両側部に、係合片１５と同様に、側板３１とガイド板３７との間隙に係合する係合片２５を有している（図２（ｂ）参照）。係合片２５も、先端が二股形状をしていて、側面視凹状の係合受け部２２が形成される。二股の延設部のうち、開状態時に後側となっている延設部２１が、閉状態時には下側となる。
【００３０】
パネル１０を装置本体３０に組み付ける際には、パネル１０を、前端部１０ａが上となるように縦にした姿勢で、側板３１とガイド板３２との間隙に、パネル１０の左右の係合片１５を挿入する。そして、係合片１５の係合受け部１２と前側回動軸３３とを係合させる。側板３１とガイド板３２とは、装置本体３０に対するパネル１０の左右方向の位置を規制するガイド機能を果たす。
【００３１】
パネル１０の係合受け部１２は、前側回動軸３３に単に摺動自在に嵌合して係合しているだけなので、両者の係合を解除することもできる。係合受け部１２が前側回動軸３３と係合している状態では、前側回動軸３３を中心として、前端部１０ａが上下乃至前後方向（図２（ｂ）の時計方向及び反時計方向）に回動自在となる。
【００３２】
係合受け部１２が前側回動軸３３と係合しているパネル１０の閉状態において、パネル１０が装置本体３０に対してネジ等の締結具２７で締結されることで、パネル１０が装置本体３０に固定される。これがパネル１０の装置本体３０に対する組み付け状態であり、機器として使用される状態でもある。
【００３３】
一方、パネル１０を開く際には、上記締結具２７を外し、パネル１０の前端部１０ａを持ち上げて後方に回動させる。そのまま回動させていくと、延設部１１がストッパピン３４（図２（ｂ）参照）に当たってしまうので、当たらないように、パネル１０を少し持ち上げて、係合受け部１２を前側回動軸３３から少し離間させてパネル１０をさらに回動させる。延設部１１がストッパピン３４とストッパピン３５との間に位置するような角度までパネル１０を回動させたら、パネル１０を下ろし、係合受け部１２を前側回動軸３３にしっかりと係合させる。
【００３４】
この状態では、パネル１０はやや前傾していて、重心が前側回動軸３３より前側にあるので、前側回動軸３３を中心に前方に回動しようとする。そのため、延設部１１がストッパピン３４に当接した状態で安定した開状態となる。従って、ストッパピン３４は、パネル１０が閉じないように開状態を維持する機能を果たす。
【００３５】
開状態において、パネル１０に後方へ回動させるような外力が加わった場合、延設部１１がストッパピン３５に当接し、それ以上後方に回動しないようになっている。従って、ストッパピン３５は、パネル１０の後方への回動限界位置を規制する機能を果たす。
【００３６】
パネル２０の開閉構造については、パネル１０に対して開閉方向が逆になるが、基本的構成は同じである。
【００３７】
パネル２０を装置本体３０に組み付ける際には、パネル２０を、後端部２０ｂが上となるように縦にした姿勢で、側板３１とガイド板３７との間隙に、パネル２０の左右の係合片２５を挿入する。そして、係合片２５の係合受け部２２と後側回動軸３８とを係合させる。側板３１とガイド板３７とは、装置本体３０に対するパネル２０の左右方向の位置を規制するガイド機能を果たす。
【００３８】
パネル２０の係合受け部２２が後側回動軸３８と係合している状態では、後側回動軸３８を中心として、後端部２０ｂが上下乃至前後方向（図２（ｂ）の時計方向及び反時計方向）に回動自在となる。
【００３９】
係合受け部２２が後側回動軸３８と係合しているパネル２０の閉状態において、パネル２０が装置本体３０に対してネジ等の締結具２６で締結されることで、パネル２０が装置本体３０に組み付け固定される。
【００４０】
一方、パネル２０を開く際には、上記締結具２６を外し、パネル２０の後端部２０ｂを持ち上げて前方に回動させる。すると、延設部２１がストッパピン３９に当接し、パネル２０の前方への回動終了位置が規制される。
【００４１】
この状態では、パネル２０の重心は後側回動軸３８より前側にあり、後側回動軸３８を中心に前方に回動しようとする。そのため、延設部２１がストッパピン３９に当接した状態で安定した開状態となる。従って、ストッパピン３９は、パネル２０の開状態を維持する機能を果たす。
【００４２】
ここで、図２（ｂ）に示すように、ストッパピン３４、３９によって、パネル１０、２０を共に開状態に維持した場合でも、両者は干渉しないようになっている。従って、装置本体３０がほぼ全開になって、内部が開放されるので、メンテナンス等がやりやすい。
【００４３】
特に、前側回動軸３３、後側回動軸３８は、装置本体３０の前後方向における中間位置に配置され、互いに近接している。そのため、開状態におけるパネル１０、２０の各重心が、装置本体３０の前後方向における中間位置に近くなることから、パネル１０、２０の開状態の回動角度を大きく設定しても、それぞれの開状態時において装置本体３０の前後いずれかが浮き上がるようなことがなく、安定する。従って、装置本体３０のほぼ全体を大きく開放でき、作業性が向上する。しかも、パネルが２つに分割構成されていることから、１つのパネルの重量が軽くなり、開閉操作や、開状態時に装置本体３０にかかる荷重集中を緩和することができる。その結果、装置本体３０の剛性を不必要に高める必要がなく、軽量化が図れることから、組み付け時等の作業性向上にも繋がる。
【００４４】
本実施の形態によれば、前側のパネル１０が後方に開き、後側のパネル２０が前方に開くので、装置本体３０の前部、後部の内部をそれぞれ前側、後側に開放できるようにして、内部の組み付けやメンテナンスの作業を容易にすることができる。
【００４５】
また、ストッパピン３４、３９が、パネル１０、２０の開状態を維持する機能を果たすので、パネル１０、２０を取り外したり手で保持したりすることなく装置本体３０の内部に対する作業を行うことができる。
【００４６】
また、ストッパピン３５、３９によって、パネル１０、２０が、それぞれ後方への回動限界位置、前方への回動終了位置に規制されると、両者が互いに干渉することがないので、同時に両者を開状態にすることができ、作業性が向上する。
【００４７】
また、前側回動軸３３、後側回動軸３８は、装置本体３０の前後方向における中間位置で近接しているので、パネル１０、２０の開状態の回動角度を大きく設定して装置本体３０の全体を大きく開放することができ、作業性が向上する。
【００４８】
図１，図２に示したパネル１０、２０の開閉構造においては、パネル１０、２０の開状態を維持する開状態維持手段としてストッパピン３４、３９を示し、パネル１０、２０の、それぞれ後方への回動限界位置、前方への回動終了位置を規制する規制手段としてストッパピン３５、３９を示したが、これらストッパピン３４、３５、３９に限られない。例えば、開状態におけるパネル１０、２０の傾斜乃至重心位置が上記実施の形態とは異なる場合は、異なる配置や構成となる。図３に変形例を示す。
【００４９】
図３（ａ）、（ｂ）は、パネル１０の開閉構造の変形例を示す模式図である。上記した図２（ｂ）に示す例では、開状態におけるパネル１０の重心位置は、前側回動軸３３より前側にあったが、図３（ａ）、（ｂ）に示す変形例では、前側回動軸３３より後側に位置する。従って、開状態では、パネル１０は図３（ａ）の時計方向に回動しようとする。そこで、図３（ａ）、（ｂ）の例では、いずれも、開状態維持手段として、ストッパピン３４に代えて、ストッパピン４１を、延設部１１の前側に配置する。ストッパピン４１は、パネル１０の後方への回動限界位置を規制する規制手段としての機能も果たす。
【００５０】
また、図３（ｂ）に示す例ではさらに、外力によってパネル１０が閉じる方向に回動するのを規制するためのストッパピン４２も設けられている。
【００５１】
図３（ｃ）、（ｄ）は、パネル２０の開閉構造の変形例を示す模式図である。図３（ｃ）に示す変形例では、図２（ｂ）に示す例に対して、開状態のパネル２０が外力によって閉じる方向に回動するのを規制するためのストッパピン４３が追加されている。ストッパピン３９の機能は図２（ｂ）に示すものと同じである。
【００５２】
また、図３（ｄ）に示す変形例では、図２（ｂ）に示す例とは異なり、開状態におけるパネル２０の重心位置が、後側回動軸３８より後側に位置する。従って、パネル２０は、開状態では、図３（ｄ）の時計方向に回動しようとする。そこで、図３（ｄ）の例では、開状態維持手段として、ストッパピン３９に代えて、ストッパピン４５を、延設部２１の前側に配置する。
【００５３】
図３（ｄ）に示す変形例ではさらに、パネル２０の前方への回動限界位置を規制する規制手段として、ストッパピン４４を、延設部２１の後側に配置する。
【００５４】
なお、上記した開状態維持手段や規制手段の機能を果たす構成は、ストッパピンの形態に限られず、支柱等、パネル１０、２０と係合してその機能を果たす構成であればよい。
【００５５】
ところで、上記実施の形態では、コントロールパネルは前後２つの構成であったが、図３（ｅ）に変形例を示すように、３つ以上としてもよい。すなわち、装置本体３０の前部、後部の内部をそれぞれ前側、後側に開放できるようにする観点に限れば、複数のコントロールパネルのうち、最も前に配設されるコントロールパネル（パネル１０）は、その前端部が上方から後方に回動して開状態となり、最も後ろに配設されるコントロールパネル（パネル２０）は、その後端部が、上方から前方に回動して開状態となるように配設されればよい。前後方向における中間に配設されるコントロールパネル（図３（ｅ）の例ではパネル４０）については、回動方向は問わないが、例えば、前端部が上方から後方に回動するように配設される。
【００５６】
なお、上記実施の形態乃至各変形例において、係合受け部１２、２２と回動軸３３、３８とは離脱可能であったが、開状態から閉状態に至る全行程において常時係合する構成としてもよい。例えば、図２（ｂ）に示すパネル２０については開閉動作において特に係合を解除する必要がないので、常時係合の構成を採り得る。また、パネル１０の開閉構造においては、図３（ａ）の例であれば、常時係合の構成を採り得る。
【００５７】
なお、電気操作装置としてミキサ装置１００を例示したが、これは一例であり、このほかにも船舶、電車、航空機、発電所等における、開閉可能なコントロールパネルを備える各種の電気操作装置に本発明を適用可能である。
【図面の簡単な説明】
【００５８】
【図１】本発明の一実施の形態に係るパネル開閉構造が適用される電気操作装置の斜視図（図（ａ））、パネルを取り外した状態におけるミキサ装置の前半部右端部の部分平面図（図（ｂ））である。
【図２】前後のパネルを共に閉状態、開状態としたミキサ装置の右側面図（図（ａ）、図（ｂ））である。
【図３】前側のパネルの開閉構造の変形例を示す模式図（（ａ）、（ｂ））、後側のパネルの開閉構造の変形例を示す模式図（図（ｃ）、（ｄ））、パネルを３つとしたミキサ装置の模式的な側面図（図（ｅ））である。
【符号の説明】
【００５９】
１０  コントロールパネル（最前コントロールパネル）、  １０ｂ  後端部、  １０ａ  前端部、  ２０  コントロールパネル（最後コントロールパネル）、  ２０ａ  前端部、  ２０ｂ  後端部、  １２、２２  係合受け部（係合部）、  １３、２３  操作子、  ３０  装置本体、  ３３  前側回動軸（回動軸部）、  ３４  ストッパピン（開状態維持手段）、  ３５  ストッパピン（後方規制手段）、  ３８  後側回動軸（回動軸部）、  ３９  ストッパピン（開状態維持手段、前方規制手段）、  ４１  ストッパピン（開状態維持手段、後方規制手段）、  ４４  ストッパピン（前方規制手段）、  ４５  ストッパピン（開状態維持手段）、  １００  ミキサ装置（電気操作装置）
【図１】
2010103679.tif 000003
【図２】
2010103679.tif 000004
【図３】
2010103679.tif 000005